(57)【要約】      （修正有）【課題】表示品位の良好な液晶表示装置を提供する。【解決手段】第１方向と略直交する第２方向に並んで配置された複数の櫛歯画素電極ＰＥ１〜ＰＥ３を含む画素電極ＰＥと、櫛歯画素電極ＰＥ１〜ＰＥ３の間にあって第１方向に延び、櫛歯画素電極ＰＥ１〜ＰＥ３と所定のスペースを置いて配置された複数の櫛歯共通電極ＣＥ１〜ＣＥ４を含む共通電極ＣＥと、第２方向に沿って延びた走査線と、第１方向に沿って延びた信号線ＳＬとを備えた第１基板と、第１基板と対向して配置された第２基板との間に挟持された液晶層とを備え、第２方向において信号線ＳＬ近傍の櫛歯画素電極ＰＥ１、ＰＥ３と櫛歯共通電極ＣＥ１、ＣＥ４との間のスペース幅Ｗ１、Ｗ６は、隣り合う信号線ＳＬの中央部における櫛歯画素電極ＰＥ１〜ＰＥ３と櫛歯共通電極ＣＥ２、ＣＥ３との間のスペース幅Ｗ２、Ｗ３、Ｗ４、Ｗ５よりも大きい液晶表示装置。【選択図】図３
2013007956.tif 000002
【特許請求の範囲】
【請求項１】
第１方向に延び前記第１方向と略直交する第２方向に並んで配置された複数の櫛歯画素電極を含む画素電極と、前記複数の櫛歯画素電極の間において前記第１方向に延び、前記櫛歯画素電極と所定のスペースを置いて配置された複数の櫛歯共通電極を含む共通電極と、前記第２方向に沿って延びた走査線と、前記第１方向に沿って延びた信号線と、を備えた第１基板と、
前記第１基板と対向して配置された第２基板と、
前記第１基板と前記第２基板との間に挟持された液晶層と、を備え、
前記第２方向において前記信号線近傍に配置された前記櫛歯画素電極と前記櫛歯共通電極との間のスペース幅は、隣り合う前記信号線間の中央部における前記櫛歯画素電極と前記櫛歯共通電極との間のスペース幅よりも大きい液晶表示装置。
【請求項２】
前記第２方向において隣り合う前記信号線間の中央部における前記櫛歯画素電極と前記櫛歯共通電極との間の複数のスペース幅は異なっている請求項１記載の液晶表示装置。
【請求項３】
前記第１基板は、前記信号線と前記画素電極との接続を切換える画素スイッチをさらに備え、
前記複数の櫛歯画素電極は３つの櫛歯画素電極を備え、
前記複数の櫛歯共通電極は４つの櫛歯共通電極を備え、
前記第２方向において前記信号線近傍に配置された前記櫛歯画素電極と前記櫛歯共通電極との間のスペース幅は、前記画素スイッチを介して前記画素電極へ映像信号を供給する信号線側から１番目の前記櫛歯共通電極と１番目の前記櫛歯画素電極との間のスペース幅、および、４番目の前記櫛歯共通電極と３番目の前記櫛歯画素電極との間のスペース幅である請求項１記載の液晶表示装置。
【請求項４】
前記第２方向において隣り合う前記信号線間の中央部における前記櫛歯画素電極と前記櫛歯共通電極との間の複数のスペース幅の中で、
前記画素スイッチを介して前記画素電極へ映像信号を供給する信号線側から、１番目の前記櫛歯画素電極と２番目の前記櫛歯共通電極との間のスペース幅が他のスペース幅より大きく、２番目の前記櫛歯画素電極と３番目の前記櫛歯共通電極との間のスペース幅が他のスペース幅より小さい請求項３記載の液晶表示装置。
【発明の詳細な説明】
【技術分野】
【０００１】
本発明の実施形態は、液晶表示装置に関する。
【背景技術】
【０００２】
近年、平面表示装置が盛んに開発されており、中でも液晶表示装置は、軽量、薄型、低消費電力などの特徴を生かして、各種分野に適用されている。このような液晶表示装置は、一対の基板間に液晶層を保持した構成であり、画素電極と共通電極との間の電界によって液晶層を通過する光に対する変調率を制御し、画像を表示するものである。
【０００３】
液晶表示装置は、一対の基板の基板面と略直交する方向の縦電界を液晶層に印加して液晶の配向状態を制御する方式と、一対の基板の基板面と略平行な方向の横電界（フリンジ電界も含む）を液晶層に印加して液晶の配向状態を制御する方式とが知られている。
【０００４】
横電界を利用した液晶表示装置は、広視野角化の観点から特に注目されている。In-Plane Switching（ＩＰＳ）モードや、Fringe Field Switching（ＦＦＳ）モードなどの横電界方式の液晶表示装置は、第１基板に形成された画素電極と共通電極とを備えている。
【０００５】
ＩＰＳモードの液晶表示装置では、画素電極と共通電極とが間隔を置いて基板面の略平行な方向に並んで配置され、画素電極と共通電極との間に生じる横電界により液晶分子の配向状態が制御される。
【先行技術文献】
【特許文献】
【０００６】
【特許文献１】特開２０１０−２５６５４７号公報
【発明の概要】
【発明が解決しようとする課題】
【０００７】
ＩＰＳモード等の横電界を利用する液晶表示装置では、画面を押圧すると液晶の配向状態が乱れる。大きな電界が印加された領域は、押圧により液晶の配向状態が乱れた場合、押圧をやめた後でも液晶の配向状態が元に戻らないドメインが発生することがあった。ドメインが発生すると、表示画素において液晶の配向状態が制御されない部分ができるため、表示ムラや輝度の低下を招き、表示品位の低下する原因となっていた。
【０００８】
ＩＰＳモード等の横電界を利用する液晶表示装置では、画素電極と共通電極との間に生じる電界の大きさは画素電極と共通電極との距離により変化する。画素電極と共通電極との距離を大きくすると押圧によるドメインの発生を抑制することができる。しかし、電極を移動できる幅が表示画素の幅により制限されるため、画素電極と共通電極との幅を一様に大きくすることは困難であった。
【０００９】
本発明は上記事情を鑑みて成されたものであって、表示品位の良好な液晶表示装置を提供することを目的とする。
【課題を解決するための手段】
【００１０】
実施形態によれば、第１方向に延び前記第１方向と略直交する第２方向に並んで配置された複数の櫛歯画素電極を含む画素電極と、前記複数の櫛歯画素電極の間において前記第１方向に延び、前記櫛歯画素電極と所定のスペースを置いて配置された複数の櫛歯共通電極を含む共通電極と、前記第２方向に沿って延びた走査線と、前記第１方向に沿って延びた信号線と、を備えた第１基板と、前記第１基板と対向して配置された第２基板と、前記第１基板と前記第２基板との間に挟持された液晶層と、を備え、前記第２方向において前記信号線近傍の前記櫛歯画素電極と前記櫛歯共通電極との間のスペース幅は、隣り合う前記信号線の中央部における前記櫛歯画素電極と前記櫛歯共通電極との間のスペース幅よりも大きい液晶表示装置が提供される。
【図面の簡単な説明】
【００１１】
【図１】一実施形態の液晶表示装置の一構成例を概略的に示す図である。
【図２】一実施形態の液晶表示装置の表示画素の一構成例を概略的に示す図である。
【図３】第１実施形態の液晶表示装置の表示画素における画素電極と共通電極との一構成例を説明するための図である。
【図４】第１実施形態の液晶表示装置の評価結果の一例を示す図である。
【図５】第２実施形態の液晶表示装置の表示画素における画素電極と共通電極との一構成例を説明するための図である。
【図６】第２実施形態の液晶表示装置の評価結果の一例を示す図である。
【図７】比較例の液晶表示装置の表示画素における画素電極と共通電極との一構成例を説明するための図である。
【図８】比較例の液晶表示装置の評価結果の一例を示す図である。
【発明を実施するための形態】
【００１２】
以下、実施形態の液晶表示装置について、図面を参照して説明する。
【００１３】
図１に第１実施形態の液晶表示装置１の一構成例を概略的に示す。本実施形態に係る液晶表示装置１は、ノーマリブラックのＩＰＳモードの液晶表示装置であって、互いに対向する一対の基板、すなわち第１基板１０１および第２基板１０２と、第１基板１０１と第２基板１０２との間に挟持された液晶層（図示せず）と、マトリクス状に配置された表示画素ＰＸを含む表示部１１０と、を備えている。
【００１４】
第１基板１０１および第２基板１０２は、光透過性絶縁基板であって、例えばガラス基板である。
【００１５】
第１基板１０１は、表示部１１０において、表示画素ＰＸが配列する行方向（第２方向）Ｄ２に沿って延びた複数の走査線ＧＬと、表示画素ＰＸが配列する列方向（第１方向）Ｄ１に沿って延びた複数の信号線ＳＬと、走査線ＧＬと信号線ＳＬとの交差位置近傍に配置された画素スイッチＳＷと、各表示画素ＰＸに配置された複数の画素電極ＰＥと、複数の画素電極ＰＥとの間に横電界を形成するように配置された共通電極ＣＥと、を備えている。
【００１６】
第１基板１０１上には、表示部１１０の周囲の領域にゲートドライバ１２１とソースドライバ１２２とが配置されている。複数の走査線ＧＬは、表示部１１０の周囲の領域に延びてゲートドライバ１２１に接続されている。複数の信号線ＳＬは、表示部１１０の周囲の領域に延びてソースドライバ１２２に接続されている。
【００１７】
ゲートドライバ１２１は、複数の走査線ＧＬを順次駆動して、走査線ＧＬに接続された画素スイッチＳＷのソース−ドレイン間を導通させる。ソースドライバ１２２は、複数の信号線ＳＬに映像信号を供給する。信号線ＳＬに供給された映像信号は、対応する画素スイッチを介して画素電極ＰＥに供給される。共通電極ＣＥには、コモン配線ＣＯＭを介して共通電圧が供給される。
【００１８】
図２に、表示画素ＰＸの一構成例を説明するための平面図を示す。  
画素スイッチＳＷは例えばアモルファスシリコンの半導体層ＳＣを含む薄膜トランジスタである。なお画素スイッチＳＷはポリシリコンの半導体層を含む薄膜トランジスタであってもよい。画素スイッチＳＷのゲート電極ＧＥは、対応する走査線ＧＬに電気的に接続されている（あるいは一体に形成されている）。画素スイッチＳＷのソース電極ＳＥは、対応する信号線ＳＬに電気的に接続されている（あるいは一体に形成されている）。本実施形態に係る液晶表示装置１では、画素スイッチＳＷが２つのソース電極を備えている。画素スイッチＳＷのドレイン電極ＤＥは、コンタクトホールＣＨ１を介して対応する画素電極ＰＥに接続されている。
【００１９】
画素電極ＰＥは、列方向Ｄ１における一方に配置された走査線ＧＬによりゲート電位を制御される画素スイッチＳＷにより信号線ＳＬとの電気的接続が切換られる。また、画素電極ＰＥは、列方向Ｄ１における他方に配置された補助容量電極ＣｓＥとコンタクトホールＣＨ３において電気的に接続されている。
【００２０】
画素電極ＰＥは例えばＩＴＯ（Indium Tin Oxide）やＩＺＯ（Indium Zinc Oxide）等の透明電極材料により櫛歯状に形成され、表示画素ＰＸの配列する列方向Ｄ１と略平行に延びた複数の櫛歯画素電極ＰＥ１〜ＰＥ３を備えている。複数の櫛歯画素電極ＰＥ１〜ＰＥ３は表示画素ＰＸの長手方向（列方向Ｄ１）の略中央部において屈曲し、「＞」形状に延びている。
【００２１】
共通電極ＣＥは例えばＩＴＯ（Indium Tin Oxide）やＩＺＯ（Indium Zinc Oxide）等の透明電極材料により櫛歯状に形成され、表示画素ＰＸの配列する列方向Ｄ１と略平行に延びた複数の櫛歯共通電極ＣＥ１〜ＣＥ４を備えている。複数の櫛歯共通電極ＣＥ１〜ＣＥ４は表示画素ＰＸの長手方向（列方向Ｄ１）の略中央部において屈曲し、「＞」形状に延びている。共通電極ＣＥは、後述するコモン配線ＣＯＭとコンタクトホールＣＨ２において電気的に接続している。
【００２２】
なお、図１において信号線ＳＬは直線で記載されているが、図２に示すように信号線ＳＬは画素電極ＰＥの櫛歯画素電極ＰＥ１〜ＰＥ３および共通電極ＣＥの櫛歯共通電極ＣＥ１〜ＣＥ４の形状と同様に、表示画素ＰＸの長手方向の略中央部において屈曲して延びている。
【００２３】
コモン配線ＣＯＭは走査線ＧＬと同じ層において走査線ＧＬが延びる方向（行方向Ｄ２）と略平行に延びて配置されている。コモン配線ＣＯＭは行方向Ｄ２に並ぶ複数の表示画素ＰＸに配置された共通電極ＣＥと電気的に接続され、これらの共通電極ＣＥへコモン電圧を印加している。
【００２４】
また、コモン配線ＣＯＭは、信号線ＳＬと信号線ＳＬの両脇に配置された櫛歯共通電極ＣＥ１、ＣＥ４との下層に延びて配置された遮光部ＣＯＭ１を備えている。遮光部ＣＯＭ１は、後述する第２基板１０２の遮光層ＢＭと共に表示画素ＰＸ間において光が透過することを防止するように配置されている。
【００２５】
補助容量電極ＣｓＥはコモン配線ＣＯＭと対向して配置されている。補助容量電極ＣｓＥは信号線ＳＬと同じ層に配置され、画素電極ＰＥの１つの櫛歯画素電極ＰＥ２とコンタクトホールＣＨ３により電気的に接続されている。補助容量電極ＣｓＥとコモン配線ＣＯＭとの間で補助容量Ｃｓが形成される。
【００２６】
画素電極ＰＥの櫛歯画素電極ＰＥ１〜ＰＥ３と、共通電極ＣＥの櫛歯共通電極ＣＥ１〜ＣＥ４とは、表示画素ＰＸの配列する行方向Ｄ２において、所定のスペースを置いて交互に配置されている。
【００２７】
第２基板１０２は、表示部１１０において、信号線ＳＬおよび走査線ＧＬと対向するように格子状に配置された遮光層ＢＭと、表示部１１０を囲むように配置された遮光層（図示せず）と、を備えている。また、カラー表示タイプの液晶表示装置である場合には、第２基板１０２はカラーフィルタ層（図示せず）を備える。
【００２８】
カラーフィルタ層は、赤色の主波長の光を透過する赤色カラーフィルタ（図示せず）と、緑色の主波長の光を透過する緑色カラーフィルタ（図示せず）と、青色の主波長の光を透過する青色カラーフィルタ（図示せず）と、を備えている。複数色のカラーフィルタは、それぞれが１つの画素電極ＰＥと対向するように配置される。
【００２９】
第１基板１０１および第２基板１０２上には、液晶層を介して対向した一対の配向膜（図示せず）が配置されている。配向膜の表面は、液晶層に含まれる液晶分子の初期配向状態を規制するために、所定の方向にラビング処理や光学配向処理等の配向処理が成されている。櫛歯画素電極ＰＥ１〜ＰＥ３へ供給される映像信号と、櫛歯共通電極ＣＥ１〜ＣＥ４へ供給される共通電圧との電位差により生じる横電界により、液晶層の配向状態が制御される。
【００３０】
図３に、図２の線ＩＩＩ−ＩＩＩにおける断面において、画素電極ＰＥと共通電極ＣＥとの配置位置を概略的に示す。なお、図３では、コモン配線ＣＯＭの遮光部ＣＯＭ１と、画素電極ＰＥの櫛歯画素電極ＰＥ１〜ＰＥ３と、共通電極ＣＥの櫛歯共通電極ＣＥ１〜ＣＥ４と、信号線ＳＬと、遮光層ＢＭとを図示し、その他の構成の記載を省略している。
【００３１】
行方向Ｄ２において、櫛歯画素電極ＰＥ１〜ＰＥ３および櫛歯共通電極ＣＥ１〜ＣＥ４の幅は略２．７μｍであり、信号線ＳＬの幅は略３．０μｍである。櫛歯共通電極ＣＥ１、ＣＥ４と信号線ＳＬとは遮光層ＢＭと遮光部ＣＯＭ１との間に配置されている。
【００３２】
図３に示すように、表示画素ＰＸが配列する行方向Ｄ２において、画素電極ＰＥの櫛歯画素電極ＰＥ１〜ＰＥ３と、共通電極ＣＥの櫛歯共通電極ＣＥ１〜ＣＥ４との間のスペース幅が、画素中央部と画素端部とで異なっている。
【００３３】
本実施形態では、行方向Ｄ２において信号線ＳＬ近傍の櫛歯画素電極ＰＥ１、ＰＥ３と櫛歯共通電極ＣＥ１、ＣＥ４との間のスペース幅Ｗ１、Ｗ６は、行方向Ｄ２において隣り合う信号線ＳＬ間の中央部における櫛歯画素電極ＰＥ１〜ＰＥ３と櫛歯共通電極ＣＥ２、ＣＥ３との間のスペース幅Ｗ２、Ｗ３、Ｗ４、Ｗ５よりも大きい。
【００３４】
ここで、行方向Ｄ２において信号線ＳＬ近傍の櫛歯画素電極ＰＥ１、ＰＥ３と櫛歯共通電極ＣＥ１、ＣＥ４との間のスペース幅とは、画素スイッチＳＷを介して画素電極ＰＥへ映像信号を供給する信号線ＳＬ側から１番目の櫛歯共通電極ＣＥ４と１番目の櫛歯画素電極ＰＥ３との間のスペース幅Ｗ６、および、４番目の櫛歯共通電極ＣＥ１と３番目の櫛歯画素電極ＰＥ１との間のスペース幅Ｗ１である。
【００３５】
すなわち、各表示画素ＰＸにおいて、隣の表示画素ＰＸの画素電極ＰＥへ映像信号を供給する信号線ＳＬの脇に配置された櫛歯共通電極ＣＥ１と、櫛歯共通電極ＣＥ１の隣に並んで配置された櫛歯画素電極ＰＥ１との間のスペース幅Ｗ１、および、自表示画素ＰＸの画素電極ＰＥへ映像信号を供給する信号線ＳＬの脇に配置された櫛歯共通電極ＣＥ４と、櫛歯共通電極ＣＥ４の隣に並んで配置された櫛歯画素電極ＰＥ３との間のスペース幅Ｗ６は、櫛歯画素電極ＰＥ１と櫛歯共通電極ＣＥ２との間のスペース幅Ｗ２、櫛歯共通電極ＣＥ２と櫛歯画素電極ＰＥ２との間のスペース幅Ｗ３、櫛歯画素電極ＰＥ２と櫛歯共通電極ＣＥ３との間のスペース幅Ｗ４、および、櫛歯共通電極ＣＥ３と櫛歯画素電極ＰＥ３との間のスペース幅Ｗ５よりも大きい。また、櫛歯共通電極ＣＥ１と櫛歯画素電極ＰＥ１との間のスペース幅Ｗ１は、櫛歯画素電極ＰＥ３と櫛歯共通電極ＣＥ４との間のスペース幅Ｗ６よりも大きい。
【００３６】
具体的には、本実施形態では、表示画素ＰＸの端部におけるスペース幅Ｗ１が略９．５μｍであり、スペース幅Ｗ６は略９．３μｍである。これに対し、表示画素ＰＸの中央部におけるスペース幅Ｗ２〜Ｗ５は略６．２μｍである。
【００３７】
図４に上記液晶表示装置１について、押圧により液晶の配向状態が乱れた場合、押圧をやめた後でも液晶の配向状態が元に戻らないドメインの発生を評価した結果の一例を示す。本実施形態では、白表示液晶駆動電圧を３．７Ｖから５．７Ｖまで０．１Ｖずつ変化させて、櫛歯画素電極ＰＥ１〜ＰＥ３と櫛歯共通電極ＣＥ１〜ＣＥ４との間におけるドメインの発生の有無を評価した。図４において、「○」評価はドメインが発生しなかったことを示し、「×」評価はドメインが発生したことを示す。
【００３８】
白表示液晶駆動電圧が３．７Ｖ以上５．０Ｖ以下である場合には、櫛歯画素電極ＰＥ１〜ＰＥ３と櫛歯共通電極ＣＥ１〜ＣＥ４との間のいずれの箇所にもドメインが発生しなかった。白表示液晶駆動電圧が５．１Ｖ以上５．７Ｖ以下である場合には、櫛歯共通電極ＣＥ３と櫛歯画素電極ＰＥ３との間のスペースにドメインが発生した。白表示液晶駆動電圧が５．３Ｖ以上５．７Ｖ以下である場合には、櫛歯共通電極ＣＥ１と櫛歯画素電極ＰＥ１との間のスペースにさらにドメインが発生した。白表示液晶駆動電圧５．７Ｖである場合には、櫛歯画素電極ＰＥ１と櫛歯共通電極ＣＥ２との間のスペースにさらにドメインが発生した。
【００３９】
図７に比較例の液晶表示装置の画素電極ＰＥと共通電極ＣＥとの配置位置を概略的に示す。なお図７では、図３と同様に、コモン配線ＣＯＭの遮光部ＣＯＭ１と、画素電極ＰＥの櫛歯画素電極ＰＥ１〜ＰＥ３と、共通電極ＣＥの櫛歯共通電極ＣＥ１〜ＣＥ４と、信号線ＳＬと、遮光層ＢＭとを図示し、その他の構成の記載を省略している。
【００４０】
この比較例では、表示画素ＰＸが配列する行方向Ｄ２において、櫛歯画素電極ＰＥ１〜ＰＥ３および櫛歯共通電極ＣＥ１〜ＣＥ４の幅は略３．６μｍであり、信号線ＳＬの幅は略３．０μｍであり、画素電極ＰＥの櫛歯画素電極ＰＥ１〜ＰＥ３と、共通電極ＣＥの櫛歯共通電極ＣＥ１〜ＣＥ４との間のスペース幅Ｗ１〜Ｗ６が略等しく、略６．２μｍである。比較例の液晶表示装置は、スペース幅Ｗ１〜Ｗ６以外は上記実施形態の液晶表示装置１と同様である。
【００４１】
図８に、上記比較例の液晶表示装置について、押圧により液晶の配向状態が乱れた場合、押圧をやめた後でも液晶の配向状態が元に戻らないドメインの発生を評価した結果の一例を示す。
【００４２】
図４に示す場合と同様に、白表示液晶駆動電圧を３．７Ｖから５．７Ｖまで０．１Ｖずつ変化させて、櫛歯画素電極ＰＥ１〜ＰＥ３と櫛歯共通電極ＣＥ１〜ＣＥ４との間におけるドメインの発生の有無を評価した。
【００４３】
白表示液晶駆動電圧が３．７Ｖ以上５．７Ｖ以下のいずれの場合でも、櫛歯共通電極ＣＥ１と櫛歯画素電極ＰＥ１との間のスペースにドメインが発生した。白表示液晶駆動電圧が５．１Ｖ以上５．７Ｖ以下である場合には、櫛歯共通電極ＣＥ３と櫛歯画素電極ＰＥ３との間のスペースにさらにドメインが発生した。白表示液晶駆動電圧が５．７Ｖである場合には、櫛歯画素電極ＰＥ１と櫛歯共通電極ＣＥ２との間のスペースにさらにドメインが発生した。
【００４４】
したがって、この比較例の液晶表示装置では、白表示液晶駆動電圧を３．７Ｖと設定することとなり、白表示が暗くなってしまう。これに対し、本実施形態の液晶表示装置１では、白表示液晶駆動電圧を５．０Ｖと設定することで明るい白表示が可能となる。
【００４５】
すなわち、本実施形態の液晶表示装置１によれば、ドメインの発生を抑制し、表示品位の良好な液晶表示装置を提供することができる。
【００４６】
次に、第２実施形態の液晶表示装置１について図面を参照して説明する。なお、以下の説明において上述の第１実施形態と同様の構成については同一の符号を付して説明を省略する。
【００４７】
本実施形態の液晶表示装置１は、櫛歯画素電極ＰＥ１〜ＰＥ３と櫛歯共通電極ＣＥ１〜ＣＥ４との間のスペース幅Ｗ１〜Ｗ６が上述の第１実施形態と異なっている。
【００４８】
図５に、本実施形態の液晶表示装置１について、図２の線ＩＩＩ−ＩＩＩにおける断面での、画素電極ＰＥと共通電極ＣＥとの配置位置を概略的に示す。なお、図５では、コモン配線ＣＯＭの遮光部ＣＯＭ１と、画素電極ＰＥの櫛歯画素電極ＰＥ１〜ＰＥ３と、共通電極ＣＥの櫛歯共通電極ＣＥ１〜ＣＥ４と、信号線ＳＬと、遮光層ＢＭとを図示し、その他の構成の記載を省略している。
【００４９】
本実施形態では、表示画素ＰＸが配列する行方向Ｄ２において、歯画素電極ＰＥ１〜ＰＥ２および櫛歯共通電極ＣＥ１〜ＣＥ４の幅は略２．７μｍであり、櫛歯画素電極ＰＥ３の幅は３．０μｍであり、信号線ＳＬの幅は略３．０μｍであり、画素電極ＰＥの櫛歯画素電極ＰＥ１〜ＰＥ３と、共通電極ＣＥの櫛歯共通電極ＣＥ１〜ＣＥ４との間のスペース幅が、画素中央部において異なっている。
【００５０】
すなわち、行方向Ｄ２において隣り合う信号線ＳＬ間の中央部における櫛歯画素電極ＰＥ１〜ＰＥ３と、櫛歯共通電極ＣＥ２、ＣＥ３との間のスペース幅Ｗ２、Ｗ３、Ｗ４、Ｗ５が等しくない。
【００５１】
本実施形態では、第２方向Ｄ２において隣り合う信号線ＳＬ間の中央部における櫛歯画素電極ＰＥ１〜ＰＥ３と櫛歯共通電極ＣＥ２、ＣＥ３との間の複数のスペース幅Ｗ２、Ｗ３、Ｗ４、Ｗ５の中で、画素スイッチＳＷを介して画素電極ＰＥへ映像信号を供給する信号線ＳＬ側から、１番目の櫛歯画素電極ＰＥ３と２番目の櫛歯共通電極ＣＥ３との間のスペース幅Ｗ５が他のスペース幅より大きく、２番目の櫛歯画素電極ＰＥ２と３番目の櫛歯共通電極ＣＥ２との間のスペース幅Ｗ３が他のスペース幅より小さい。
【００５２】
また、上記第１実施形態と同様に、各表示画素ＰＸにおいて、隣の表示画素ＰＸの画素電極ＰＥへ映像信号を供給する信号線ＳＬの脇に配置された櫛歯共通電極ＣＥ１と、櫛歯共通電極ＣＥ１の隣に並んで配置された櫛歯画素電極ＰＥ１との間のスペース幅Ｗ１、および、自表示画素ＰＸの画素電極ＰＥへ映像信号を供給する信号線ＳＬの脇に配置された櫛歯共通電極ＣＥ４と、櫛歯共通電極ＣＥ４の隣に並んで配置された櫛歯画素電極ＰＥ３との間のスペース幅Ｗ６は、櫛歯画素電極ＰＥ１と櫛歯共通電極ＣＥ２との間のスペース幅Ｗ２、櫛歯共通電極ＣＥ２と櫛歯画素電極ＰＥ２との間のスペース幅Ｗ３、櫛歯画素電極ＰＥ２と櫛歯共通電極ＣＥ３との間のスペース幅Ｗ４、および、櫛歯共通電極ＣＥ３と櫛歯画素電極ＰＥ３との間のスペース幅Ｗ５よりも大きい。また、櫛歯共通電極ＣＥ１と櫛歯画素電極ＰＥ１との間のスペース幅Ｗ１は、櫛歯画素電極ＰＥ３と櫛歯共通電極ＣＥ４との間のスペース幅Ｗ６よりも大きい。
【００５３】
具体的には、本実施形態では、スペース幅Ｗ１が略９．５μｍであり、スペース幅Ｗ６は略９．３μｍである。スペース幅Ｗ２、Ｗ４は略６．２μｍであり、スペース幅Ｗ３は４．９μｍであり、スペース幅Ｗ５は７．４μｍである。
【００５４】
図６に上記液晶表示装置１について、押圧により液晶の配向状態が乱れた場合、押圧をやめた後でも液晶の配向状態が元に戻らないドメインの発生を評価した結果の一例を示す。本実施形態では、白表示液晶駆動電圧を３．７Ｖから５．７Ｖまで０．１Ｖずつ変化させて、櫛歯画素電極ＰＥ１〜ＰＥ３と櫛歯共通電極ＣＥ１〜ＣＥ４との間におけるドメインの発生の有無を評価した。図４において、「○」評価はドメインが発生しなかったことを示し、「×」評価はドメインが発生したことを示す。
【００５５】
白表示液晶駆動電圧が３．７Ｖ以上５．２Ｖ以下である場合には、櫛歯画素電極ＰＥ１〜ＰＥ３と櫛歯共通電極ＣＥ１〜ＣＥ４との間のいずれの箇所にもドメインが発生しなかった。白表示液晶駆動電圧が５．３Ｖ以上５．７Ｖ以下である場合には、櫛歯共通電極ＣＥ１と櫛歯画素電極ＰＥ１との間のスペースにドメインが発生した。白表示液晶駆動電圧が５．７Ｖである場合には、櫛歯画素電極ＰＥ１と櫛歯共通電極ＣＥ２との間のスペースにさらにドメインが発生した。
【００５６】
したがって、本実施形態では白表示液晶駆動電圧を５．２Ｖと設定することで、上述の比較例の液晶表示装置と比べて明るい白表示が可能となる。さらに本実施形態では上述の第１実施形態よりもドメインの発生を抑制することができ、より明るい白表示を実現することができた。
【００５７】
すなわち、本実施形態の液晶表示装置１によれば、ドメインの発生を抑制し、表示品位の良好な液晶表示装置を提供することができる。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５９】
ＰＸ…表示画素、ＧＬ…走査線、ＳＬ…信号線、ＳＷ…画素スイッチ、ＰＥ…画素電極、ＣＥ…共通電極、Ｄ１…列方向（第１方向）、Ｄ２…行方向（第２方向）、ＣＯＭ…コモン配線、ＣＯＭ１…遮光部ＢＭ…遮光層、ＣｓＥ…補助容量電極、Ｃｓ…補助容量、ＣＨ１〜ＣＨ３…コンタクトホールＣＨ、ＰＥ１〜ＰＥ３…櫛歯画素電極、ＣＥ１〜ＣＥ４…櫛歯共通電極、１０１…第１基板、１０２…第２基板、１１０…表示部、１２１…ゲートドライバ、１２２…ソースドライバ。
【図１】
2013007956.tif 000003
【図２】
2013007956.tif 000004
【図３】
2013007956.tif 000005
【図４】
2013007956.tif 000006
【図５】
2013007956.tif 000007
【図６】
2013007956.tif 000008
【図７】
2013007956.tif 000009
【図８】
2013007956.tif 000010